【手続補正書】
【提出日】平成20年4月17日(2008.4.17)
【手続補正１】
【補正対象書類名】明細書
【補正対象項目名】発明の名称
【補正方法】変更
【補正の内容】
【発明の名称】無線通信装置
【手続補正２】
【補正対象書類名】明細書
【補正対象項目名】特許請求の範囲
【補正方法】変更
【補正の内容】
【特許請求の範囲】
【請求項１】  パーソナルコンピュータのインタフェーススロットに挿入される接続端子を有する本体部と、該本体部に接続された電池及びアンテナとを備え、上記接続端子を上記インタフェーススロットに挿入した場合において、上記パーソナルコンピュータが該パーソナルコンピュータ本体のバッテリ使用中のとき、上記電池から電源が供給されることを特徴とする無線通信装置。
【請求項２】  接続端子をインタフェーススロットに挿入した場合において、パーソナルコンピュータが外部電源使用中のとき、上記外部電源から上記パーソナルコンピュータ本体に供給される電源により電池が充電されることを特徴とする請求項１記載の無線通信装置。
【請求項３】  外部端子を備え、接続端子がインタフェーススロットに挿入されていない場合において、上記外部端子に充電装置を接続することにより電池が充電され、かつ上記外部端子に外部電源装置を接続することにより該外部電源装置から電源が供給されることを特徴とする請求項１記載の無線通信装置。
【請求項４】  本体部にメモリを備え、外部端子に外部電源装置を接続したとき、アンテナで受信したデータが上記メモリに蓄積されることを特徴とする請求項３記載の無線通信装置。
【請求項５】  電源スイッチを備え、接続端子がインタフェーススロットに挿入されていない場合において、上記電源スイッチをＯＮすることにより電池から電源が供給されることを特徴とする請求項１記載の無線通信装置。
【請求項６】  本体部にメモリを備え、電源スイッチをＯＮしたとき、アンテナで受信したデータが上記メモリに蓄積されることを特徴とする請求項５記載の無線通信装置。
【手続補正３】
【補正対象書類名】明細書
【補正対象項目名】０００９
【補正方法】変更
【補正の内容】
【０００９】
【課題を解決するための手段】
この発明に係る無線通信用ＰＣカードは、パーソナルコンピュータのインタフェーススロットに挿入される接続端子を有する本体部と、該本体部に接続された電池及びアンテナとを備え、接続端子をインタフェーススロットに挿入した場合において、パーソナルコンピュータが該パーソナルコンピュータ本体のバッテリ使用中のとき、電池から電源が供給されるものである。
【手続補正４】
【補正対象書類名】明細書
【補正対象項目名】００１０
【補正方法】変更
【補正の内容】
【００１０】
この発明に係る無線通信用ＰＣカードは、接続端子をインタフェーススロットに挿入した場合において、パーソナルコンピュータが外部電源使用中のとき、外部電源からパーソナルコンピュータ本体に供給される電源により電池が充電されるものである。
【手続補正５】
【補正対象書類名】明細書
【補正対象項目名】００１１
【補正方法】変更
【補正の内容】
【００１１】
この発明に係る無線通信用ＰＣカードは、外部端子を備え、接続端子がインタフェーススロットに挿入されていない場合において、外部端子に充電装置を接続することにより電池が充電され、かつ外部端子に外部電源装置を接続することにより該外部電源装置から電源が供給されるものである。
【手続補正６】
【補正対象書類名】明細書
【補正対象項目名】００１２
【補正方法】変更
【補正の内容】
【００１２】
この発明に係る無線通信用ＰＣカードは、本体部にメモリを備え、外部端子に外部電源装置を接続したとき、アンテナで受信したデータがメモリに蓄積されるものである。
【手続補正７】
【補正対象書類名】明細書
【補正対象項目名】００１３
【補正方法】変更
【補正の内容】
【００１３】
この発明に係る無線通信用ＰＣカードは、電源スイッチを備え、接続端子がインタフェーススロットに挿入されていない場合において、電源スイッチをＯＮすることにより電池から電源が供給されるものである。
【手続補正８】
【補正対象書類名】明細書
【補正対象項目名】００１４
【補正方法】変更
【補正の内容】
【００１４】
この発明に係る無線通信用ＰＣカードは、本体部にメモリを備え、電源スイッチをＯＮしたとき、アンテナで受信したデータが上記メモリに蓄積されるものである。
【手続補正９】
【補正対象書類名】明細書
【補正対象項目名】００２９
【補正方法】変更
【補正の内容】
【００２９】
【発明の効果】
以上のように、この発明によれば、パーソナルコンピュータのインタフェーススロットに挿入される接続端子を有する本体部と、該本体部に接続された電池及びアンテナとを備え、接続端子をインタフェーススロットに挿入した場合において、パーソナルコンピュータが該パーソナルコンピュータ本体のバッテリ使用中のとき、電池から電源が供給されるように無線通信装置を構成したので、パーソナルコンピュータ本体のバッテリに対する負荷を小さくし、モバイル環境下におけるパーソナルコンピュータの使用時間を改善することができる無線通信装置が得られる効果がある。
【手続補正１０】
【補正対象書類名】明細書
【補正対象項目名】００３０
【補正方法】変更
【補正の内容】
【００３０】
この発明によれば、接続端子をインタフェーススロットに挿入した場合において、パーソナルコンピュータが外部電源使用中のとき、外部電源からパーソナルコンピュータ本体に供給される電源により電池が充電されるように無線通信装置を構成したので、小型電池の充電が容易な無線通信装置が得られる効果がある。
【手続補正１１】
【補正対象書類名】明細書
【補正対象項目名】００３１
【補正方法】変更
【補正の内容】
【００３１】
この発明によれば、外部端子を備え、接続端子がインタフェーススロットに挿入されていない場合において、外部端子に充電装置を接続することにより電池が充電され、かつ外部端子に外部電源装置を接続することにより該外部電源装置から電源が供給されるように無線通信装置を構成したので、小型電池の充電が容易であり、かつ単体で情報端末として機能する無線通信装置が得られる効果がある。
【手続補正１２】
【補正対象書類名】明細書
【補正対象項目名】００３２
【補正方法】変更
【補正の内容】
【００３２】
この発明によれば、本体部にメモリを備え、外部端子に外部電源装置を接続したとき、アンテナで受信したデータがメモリに蓄積されるように無線通信装置を構成したので、パーソナルコンピュータに接続した際に、パーソナルコンピュータ本体のソフトウェアによりメモリに蓄積されたデータを読み出すことができる無線通信装置が得られる効果がある。
【手続補正１３】
【補正対象書類名】明細書
【補正対象項目名】００３３
【補正方法】変更
【補正の内容】
【００３３】
この発明によれば、電源スイッチを備え、接続端子がインタフェーススロットに挿入されていない場合において、電源スイッチをＯＮすることにより電池から電源が供給されるように無線通信装置を構成したので、単体で情報端末として機能する無線通信装置が得られる効果がある。
【手続補正１４】
【補正対象書類名】明細書
【補正対象項目名】００３４
【補正方法】変更
【補正の内容】
【００３４】
この発明によれば、本体部にメモリを備え、電源スイッチをＯＮしたとき、アンテナで受信したデータが上記メモリに蓄積されるように無線通信装置を構成したので、パーソナルコンピュータに接続した際に、パーソナルコンピュータ本体のソフトウェアによりメモリに蓄積されたデータを読み出すことができる無線通信装置が得られる効果がある。